(57)【要約】  外科顕微鏡と併用される光学スキャナとインターフェースするスキャンコントローラを用いて、眼科手術中のスキャン像の制御を実行し得る。スキャン制御装置は、外科顕微鏡を使用して見られた光学像データ上に重ねられるスキャンデータのオーバーレイ像を制御する、ハンズフリーユーザ入力を含むユーザ入力を受信し得る。光学スキャンの選択される位置も、スキャンコントローラを使用して表示し制御することができる。
2018532451.tif 000002
【特許請求の範囲】
【請求項１】
眼科手術を実行する方法であって、
目の内部の光学像を生成する外科顕微鏡を使用して、患者の前記目の前記内部を示すことと、
ユーザ入力装置を使用して、光学スキャナに結合されるスキャンコントローラに前記目の前記内部の選択される部分の第１の指示を送信することであって、前記スキャンコントローラは、
前記第１の指示を前記ユーザ入力装置から受信することと、
前記外科顕微鏡に結合される光学スキャナにコマンドを送信して、前記選択される部分のスキャンデータを生成することと、
前記スキャンデータを前記光学スキャナから受信することと、
前記スキャンデータに基付いて、前記スキャンデータを示すオーバーレイ像を生成することと、
前記選択される部分を示す表示要素を生成することと、
前記表示要素及び前記オーバーレイ像を前記光学要素と組み合わせることであって、それにより、表示像を生成し、前記表示要素は、前記光学像内の前記選択される部分と位置合わせされる、組み合わせることと、
前記外科顕微鏡に前記表示像を表示させること
を可能にする、送信すること
を含む方法。
【請求項２】
前記ユーザ入力装置を使用して、前記選択される部分内に配置されるマーカーの第２の指示を前記スキャンコントローラに送信することを更に含み、前記スキャンコントローラは、
前記第２の指示を前記ユーザ入力装置から受信することと、
前記第２の指示に基付いて、前記マーカーを前記表示要素及び前記オーバーレイ像に追加することと
を更に可能にする、請求項１に記載の方法。
【請求項３】
前記表示像は、前記外科顕微鏡に含まれる眼及び前記外科顕微鏡の外部ディスプレイのうちの少なくとも１つに出力される、請求項１に記載の方法。
【請求項４】
前記選択される部分は線であり、前記オーバーレイ像は、前記線に沿った二次元深度プロファイルに対応する、請求項１に記載の方法。
【請求項５】
前記選択される部分は面積であり、前記オーバーレイ像は、前記面積にわたる三次元深度プロファイルに対応する、請求項１に記載の方法。
【請求項６】
前記光学スキャナは、光学コヒーレンストモグラフィスキャナである、請求項１に記載の方法。
【請求項７】
前記ユーザ入力装置は、足操作装置であり、前記第１の指示は、前記足操作装置の移動により生成される、請求項１に記載の方法。
【請求項８】
前記ユーザ入力装置は、オーディオ装置であり、前記第１の指示は、前記オーディオ装置を使用して受信される音声コマンドを用いて生成される、請求項１に記載の方法。
【請求項９】
前記ユーザ入力装置は、タッチセンシティブ装置であり、前記第１の指示は、前記タッチセンシティブ装置に触れることにより生成される、請求項１に記載の方法。
【請求項１０】
前記ユーザ入力装置は、光学スキャン装置であり、前記第１の指示は、前記光学スキャン装置により検出されるジェスチャを用いて生成される、請求項１に記載の方法。
【請求項１１】
前記ジェスチャは、手、足、頭、外科器具、及び目のうちの少なくとも１つによる動きを含む、請求項１０に記載の方法。
【請求項１２】
眼科手術中、スキャン像を制御するスキャンコントローラであって、
外科顕微鏡のユーザ入力装置から、患者の目の内部の選択される部分の第１の指示を受信することと、
前記外科顕微鏡に結合される光学スキャナにコマンドを送信して、前記選択される部分のスキャンデータを生成することと、
前記スキャンデータを前記光学スキャナから受信することと、
前記スキャンデータに基付いて、前記スキャンデータを示すオーバーレイ像を生成することと、
前記選択される部分を示す表示要素を生成することと、
前記表示要素及び前記オーバーレイ像を前記外科顕微鏡により生成される前記光学要素と組み合わせることであって、それにより、表示像を生成し、前記表示要素は、前記光学像内の前記選択される部分と位置合わせされる、組み合わせることと、
前記外科顕微鏡に前記表示像を表示させることと
を可能にする、スキャンコントローラ。
【請求項１３】
前記ユーザ入力装置を使用して、前記選択される部分内に配置されるマーカーの第２の指示を受信することと、
前記第２の指示に基付いて、前記マーカーを前記表示要素及び前記オーバーレイ像に追加することと
を更に可能にする、請求項１２に記載のスキャンコントローラ。
【請求項１４】
前記表示像は、前記外科顕微鏡に含まれる眼及び前記外科顕微鏡の外部ディスプレイのうちの少なくとも１つに出力される、請求項１２に記載のスキャンコントローラ。
【請求項１５】
前記選択される部分は線であり、前記オーバーレイ像は、前記線に沿った二次元深度プロファイルに対応する、請求項１２に記載のスキャンコントローラ。
【請求項１６】
前記選択される部分は面積であり、前記オーバーレイ像は、前記面積にわたる三次元深度プロファイルに対応する、請求項１２に記載のスキャンコントローラ。
【請求項１７】
前記光学スキャナは、光学コヒーレンストモグラフィスキャナである、請求項１２に記載のスキャンコントローラ。
【請求項１８】
前記ユーザ入力装置は、足操作装置であり、前記第１の指示は、前記足操作装置の移動により生成される、請求項１２に記載のスキャンコントローラ。
【請求項１９】
前記ユーザ入力装置は、オーディオ装置であり、前記第１の指示は、前記オーディオ装置を使用して受信される音声コマンドを用いて生成される、請求項１２に記載のスキャンコントローラ。
【請求項２０】
前記ユーザ入力装置は、タッチセンシティブ装置であり、前記第１の指示は、前記タッチセンシティブ装置に触れることにより生成される、請求項１２に記載のスキャンコントローラ。
【請求項２１】
前記ユーザ入力装置は、光学スキャン装置であり、前記第１の指示は、前記光学スキャン装置により検出されるジェスチャを用いて生成される、請求項１２に記載のスキャンコントローラ。
【請求項２２】
前記ジェスチャは、手、足、頭、外科器具、及び目のうちの少なくとも１つによる動きを含む、請求項２１に記載のスキャンコントローラ。
【発明の詳細な説明】
【技術分野】
【０００１】
本開示は、眼科手術に関し、より詳細には、硝子体網膜手術中のスキャン像の制御に関する。
【背景技術】
【０００２】
眼科では、目の手術又は眼科手術は、毎年何万もの患者の視覚を助け、改善している。しかし、目の小さな変化であっても、それに対する視覚の影響の受けやすさ及び多くの目の構造の微細で繊細な性質により、眼科手術は、実行が難しく、小さな若しくは非一般的な手術ミスの低減であってさえも又は手術技術の精度のささやかな改善も、術後の患者の視覚に非常に大きな差に繋がり得る。
【０００３】
眼科手術は、目及び付随する視覚構造に対して実行される。より具体的には、硝子体網膜手術は、硝子体液及び網膜等の目の内部が関わる様々な繊細な処置を含む。異なる硝子体網膜手術処置が、時にレーザと併用されて、特に、黄斑上膜、糖尿病性網膜症、硝子体出血、黄斑円孔、及び白内障手術の複雑性を含め、多くの眼疾患の治療での視覚性能を改善する。
【０００４】
硝子体網膜手術中、強膜を貫通する外科器具を導入して、様々な異なる任意の処置を実行し得る間、眼科医は通常、外科顕微鏡を使用して、角膜を通して眼底を見る。外科顕微鏡は、硝子体網膜手術中、眼底の撮像及び任意選択的な照明を提供する。患者は通常、硝子体網膜手術中、外科顕微鏡の下で仰臥位になり、検眼鏡を使用して、目を露出したままにする。使用される光学系のタイプに応じて、眼科医は、眼底の所与の視野を有し、視野は、狭視野から、眼底の周縁領域まで延びることができる広視野まで様々であり得る。外科顕微鏡を使用する硝子体網膜手術の多くのタイプで、外科医は、赤道を越え、さらには鋸状縁外まで延びる眼底の非常に広い視野を有したいことがある。硝子体網膜手術中、眼底ビューを外科医に提供する光学系は、特殊な接触レンズを含み得、通常、そのうちの３つのタイプが使用される：直接（度なし、平面、又は拡大）接触レンズ、間接非接触レンズ、又は間接接触レンズ。
【発明の概要】
【発明が解決しようとする課題】
【０００５】
眼底を見ることに加えて、多くの外科顕微鏡は、光学スキャナを備えて、硝子体網膜手術に関わる目組織の部分についての追加情報を提供し得る。光学スキャナは、光学的又は電気機械的に外科顕微鏡に統合し得る。典型的なシステム構成では、光学スキャナの制御及び光学スキャナからの出力像の表示は、外科医等のユーザが個々に操作する異なるシステムを使用して実行される。
【課題を解決するための手段】
【０００６】
本開示の開示される実施形態は、硝子体網膜手術中の光学スキャナの制御と、外科顕微鏡の閲覧表示に統合される光学スキャナからの出力像の閲覧とを提供する。このようにして、本明細書に記載されるように、硝子体網膜手術中の光学スキャナの制御は、眼底の光学像及び光学スキャナからの出力画像を含む１つの統合視野を使用して、外科医により実行し得る。
【０００７】
一態様では、眼科手術を実行する、開示される方法は、目の内部の光学像を生成する外科顕微鏡を使用して、患者の目の内部を表示することを含む。本方法は、ユーザ入力装置を使用して、光学スキャナに結合されるスキャンコントローラに目の内部の選択される部分の第１の指示を送信することを含み得る。本方法では、スキャナコントローラは、第１の指示をユーザ入力装置から受信することと、外科顕微鏡に結合される光学スキャナにコマンドを送信して、選択される部分のスキャンデータを生成することと、スキャンデータを光学スキャナから受信することとを可能にし得る。本方法では、スキャンデータに基付いて、スキャンコントローラは、スキャンデータを示すオーバーレイ像を生成することと、選択される部分を示す表示要素を生成することと、表示要素及びオーバーレイ像を光学像と組み合わせることであって、それにより、表示像を生成し、外科顕微鏡に、表示像を表示させる、組み合わせることとを更に可能にし得る。本方法では、表示要素は、光学像内の選択される部分と位置合わせし得る。
【０００８】
開示される任意の実施形態では、本方法は、ユーザ入力装置を使用して、選択される部分内に配置されるマーカーの第２の指示をスキャンコントローラに送信することを含み得、その間、スキャンコントローラは、第２の指示をユーザ入力装置から受信することを更に可能にし得る。第２の指示に基付いて、スキャンコントローラは、マーカーを表示要素及びオーバーレイ像に追加できるようにし得る。
【０００９】
本方法の開示される任意の実施形態では、表示像は、外科顕微鏡に含まれる眼及び外科顕微鏡の外部ディスプレイのうちの少なくとも１つに出力し得る。本方法では、選択される部分は線であり得、オーバーレイ像は、線に沿った二次元深度プロファイルに対応し得る。本方法の開示される任意の実施形態では、選択される部分は面積であり得、オーバーレイ像は、面積にわたる三次元深度プロファイルに対応し得る。本方法の開示される任意の実施形態では、光学スキャナは、光学コヒーレンストモグラフィスキャナであり得る。
【００１０】
本方法の開示される任意の実施形態では、ユーザ入力装置は、足操作装置であり得、一方、第１の指示は、足操作装置の移動により生成し得る。
【００１１】
本方法の開示される任意の実施形態では、ユーザ入力装置は、オーディオ装置であり得、一方、第１の指示は、オーディオ装置を使用して受信される音声コマンドを用いて生成し得る。
【００１２】
本方法の開示される任意の実施形態では、入力装置は、タッチセンシティブ装置であり得、一方第１の指示は、タッチセンシティブ装置に触れることにより生成し得る。
【００１３】
本方法の開示される任意の実施形態では、ユーザ入力装置は、光学スキャン装置であり得、一方、第１の指示は、光学スキャン装置により検出されるジェスチャを用いて生成し得る。本方法では、ジェスチャは、手、足、頭、外科器具、及び目のうちの少なくとも１つによる動きを含み得る。
【００１４】
別の態様では、開示されるスキャンコントローラは、眼科手術中、スキャン像を制御するためのものである。本スキャンコントローラは、外科顕微鏡のユーザ入力装置から、患者の目の内部の選択される部分の第１の指示を受信することと、外科顕微鏡に結合される光学スキャナにコマンドを送信して、選択される部分のスキャンデータを生成することと、スキャンデータを光学スキャナから受信することとを可能にし得る。本スキャンコントローラは、スキャンデータに基付いて、スキャンデータを示すオーバーレイ像を生成することと、選択される部分を示す表示要素を生成することと、表示要素及びオーバーレイ像を外科顕微鏡により生成される光学要素と組み合わせることであって、それにより、表示像を生成する、組み合わせることと、外科顕微鏡に表示像を表示させることとを更に可能にし得る。スキャンコントローラでは、表示要素は、光学像内の選択される部分と位置合わせし得る。
【００１５】
開示される任意の実施形態では、スキャンコントローラは、ユーザ入力装置から、選択される部分内に配置されるマーカーの第２の指示を受信することと、第２の指示に基付いて、マーカーを表示要素及びオーバーレイ像に追加することとを可能にし得る。
【００１６】
本スキャンコントローラの開示される任意の実施形態では、表示像は、外科顕微鏡に含まれる眼及び外科顕微鏡の外部ディスプレイのうちの少なくとも１つに出力し得る。
【００１７】
本スキャンコントローラの開示される任意の実施形態では、選択される部分は線であり得、一方、オーバーレイ像は、線に沿った二次元深度プロファイルに対応し得る。
【００１８】
本スキャンコントローラの開示される任意の実施形態では、選択される部分は面積であり得、一方、オーバーレイ像は、面積にわたる三次元深度プロファイルに対応し得る。
【００１９】
本スキャンコントローラの開示される任意の実施形態では、光学スキャナは、光学コヒーレンストモグラフィスキャナであり得る。
【００２０】
本スキャンコントローラの開示される任意の実施形態では、ユーザ入力装置は、足操作装置であり得、一方、第１の指示は、足操作装置の移動により生成し得る。
【００２１】
本スキャンコントローラの開示される任意の実施形態では、ユーザ入力装置は、オーディオ装置であり得、一方、第１の指示は、オーディオ装置を使用して受信される音声コマンドを用いて生成し得る。
【００２２】
本スキャンコントローラの開示される任意の実施形態では、ユーザ入力装置は、タッチセンシティブ装置であり得、一方、第１の指示は、タッチセンシティブ装置に触れることにより生成し得る。
【００２３】
本スキャンコントローラの開示される任意の実施形態では、ユーザ入力装置は、光学スキャン装置であり得、一方、第１の指示は、光学スキャン装置により検出されるジェスチャを用いて生成し得る。本スキャンコントローラでは、ジェスチャは、手、足、頭、外科器具、及び目のうちの少なくとも１つによる動きを含み得る。
【００２４】
本発明並びにその特徴及び利点をより完全に理解するために、これより、添付図面を併せて解釈される以下の説明を参照する。
【図面の簡単な説明】
【００２５】
【図１】外科顕微鏡スキャン器具の実施形態の選択された要素のブロック図である。
【図２】外科顕微鏡表示像の実施形態である。
【図３】スキャンコントローラの実施形態の選択された要素のブロック図である。
【図４】硝子体網膜手術中のスキャン像を制御する方法の選択された要素のフローチャートである。
【図５】硝子体網膜手術中のスキャン像を制御する方法の選択された要素のフローチャートである。
【発明を実施するための形態】
【００２６】
以下の説明では、詳細を例として記載して、開示される趣旨の考察を促進する。しかし、開示される実施形態が、例示的であり、可能な全ての実施形態を網羅するものではないことが、当業者には理解されるはずである。
【００２７】
本明細書で使用される場合、ハイフンが付いた形態の参照番号は、要素の特定のインスタンスを指し、ハイフンが付かない形態の参照番号は、集合的な要素を指す。したがって、例えば、装置「１２−１」は、装置クラスのインスタンスを指し、装置クラスは集合的に装置「１２」として参照し得、そのいずれか１つは装置「１２」として総称し得る。
【００２８】
上述したように、硝子体網膜手術中、外科医は、例えば、角膜に配置された接触レンズと併せて、外科顕微鏡を使用して患者の目の眼底を見得る。任意の様々な外科処置を実行するために、外科医は、眼底の特定の部分を光学的にスキャンして、光学コヒーレンストモグラフィ（ＯＣＴ）スキャナを使用する等により、対応する目組織のプロファイル深度スキャンを生成することを望み得る。プロファイル深度スキャンは、外科顕微鏡により生成される光学像からは容易に見ることができない目組織についての情報を明らかにし得る。ＯＣＴスキャナ等の光学スキャナは、外科顕微鏡の光学系に統合されているが、その結果生成される器具のユーザ操作は、扱いにくく、硝子体網膜手術中に使用するには非実用的であり得る。特に、外科医は、光学スキャンの位置及びプロファイル深度スキャンを示すスキャンデータを外科顕微鏡からの光学像に空間的に相関付けたいことがあり、これは、独立した操作及び表示出力を有する異なるシステム（すなわち、外科顕微鏡及び光学スキャナ）を使用して、硝子体網膜手術中に実行することは困難であり得るか、又は時間がかかり得る。
【００２９】
本開示は、硝子体網膜手術中のスキャン像の制御に関する。本明細書に開示される、硝子体網膜手術中、スキャン像を制御する方法及びシステムは、外科医が、外科顕微鏡により生成される光学像の単一視野内でスキャンデータのスキャン像を見られるようにし得る。本明細書に開示される、硝子体網膜手術中にスキャン像を制御する方法及びシステムは、外科医が、スキャンに向けて目の選択された部分の位置を制御して、スキャン像を生成し、選択された部分を単一視野で見ることを更に可能にし得る。本明細書に開示される、硝子体網膜手術中にスキャン像を制御する方法及びシステムは、外科医が、選択された位置内にマーカーを設定し、表示される選択位置及び単一視野内のスキャン像内でマーカーを見ることを可能にし得る。本明細書に開示される、硝子体網膜手術中にスキャン像を制御する方法及びシステムは、単一視野が外部ディスプレイを出力できるように更にし得る。本明細書に開示される、硝子体網膜手術中にスキャン像を制御する方法及びシステムは、外科医が、足操作装置、オーディオ装置、タッチセンシティブ装置、光学スキャン装置、又はそれらの様々な組み合わせを使用してユーザ入力を提供できるようにすることを可能にし得る。
【００３０】
更に詳細に説明するように、硝子体網膜手術中のスキャン像の制御は、光学スキャナ及び外科顕微鏡に統合されるスキャンコントローラを使用して実行される。スキャンコントローラは、光学スキャン及びユーザ、通常は外科医により示される選択位置の位置決めを含め、光学スキャナの動作を制御するコマンドを送信し得る。スキャンコントローラは、スキャン制御装置を介してユーザ入力を受信し得、スキャン制御装置は、例えば、ハンズフリーの操作を可能にする任意の１つ又は複数のタイプのユーザ入力装置であり得る。ユーザ入力及び光学スキャナから受信されるスキャンデータに基付いて、スキャンコントローラは、選択された位置を示し、スキャンデータを示すオーバーレイ像を追加するように、外科顕微鏡の表示を更新し得る。さらに、スキャンコントローラは、ユーザが、眼底の所与の位置をオーバーレイ像内のスキャンデータと相関付けるマーカーを設定し配置できるようにし得る。
【００３１】
これより図を参照すると、図１は、外科顕微鏡スキャン器具１００を示すブロック図である。器具１００は、一定の縮尺で描かれておらず、概略表現である。更に詳細に説明するように、器具１００は、硝子体網膜手術中に使用されて、人間の目１１０を示し分析し得る。示されるように、器具１００は、外科顕微鏡１２０、スキャンコントローラ１５０、外部ディスプレイ１５２、スキャン制御装置１５４、及びＯＣＴスキャナ１３４を含む。図１には、撮像システム１４０、接触レンズ１１２、並びに外科ツール１１６及び照明器１１４も示される。
【００３２】
示されるように、外科顕微鏡１２０は、概略形態で示されて、光学機能を示す。外科顕微鏡１２０が、異なる実施形態では、様々な他の電子構成要素及び機械的構成要素を含み得ることが理解される。したがって、対物レンズ１２４は、所望の拡大又は眼底の視野を提供するように選択可能な対物レンズを表し得る。対物レンズ１２４は、目１１０の角膜上に静止する接触レンズ１１２を介して、目１１０の眼底からの光を受け取り得る。なお、目１１０における他のタイプのレンズを外科顕微鏡１２０と併用し得る。硝子体網膜手術を実行するために、外科ツール１１６で表される、強膜を貫通するツールを含め、様々なツール及び器具を使用し得る。照明器１１４は、目１１０の眼底内からの光源を提供する特殊なツールであり得る。
【００３３】
図１では、外科顕微鏡１２０は、左眼１２６−Ｌ及び右眼１２６−Ｒを備える双眼鏡１２６を用いた閲覧を可能にする２つの別個であるが、略等しい光路を有する双眼鏡構成を有して示されている。対物レンズ１２４から、左光線はビームスプリッタ１２８で分割し得、そこから、撮像システム１４０及び光眼１２６−Ｌは光学像を受け取る。対物レンズ１２４からまた、右光線も部分ミラー１２９において分割し得、部分ミラー１２９はまたは、ＯＣＴスキャナ１３４から試料ビーム１３０を受け取り、測定ビーム１３２をＯＣＴスキャナ１３４に出力する。部分ミラー１２９はまた、右光線の部分を右眼１２６−Ｒに向ける。ディスプレイ１２２は、スキャンコントローラ１５０からデータを受信し、左眼１２６−Ｌ及び右眼１２６−Ｒの像出力をそれぞれ生成する像処理システム等の光電子構成要素を表し得る。幾つかの実施形態では、ディスプレイ１２２は、ユーザによる閲覧のために、双眼鏡１２６に像を出力する小型表示装置を含む。
【００３４】
図１では、スキャンコントローラ１５０は、例えば、表示データを出力するディスプレイ１２２との電気インターフェースを有し得る。このようにして、スキャンコントローラ１５０は、双眼鏡１２６において見られるディスプレイ１２２に表示像を出力し得る。撮像システム１４０とスキャンコントローラ１５０との間の電気インターフェースは、デジタル像データをサポートし得るため、スキャンコントローラ１５０は、比較的高いフレームリフレッシュレートで、リアルタイムで像処理を実行し得、それにより、外科顕微鏡１２０のユーザは、スキャン及び他の動作のために、目１１０の選択された部分を制御するユーザ入力への略瞬時のフィードバックを経験し得る。外部ディスプレイ１５２は、ディスプレイ１２２と同様の像を出力し得るが、硝子体網膜手術中、様々な人員により見られるスタンドアロンモニタを表し得る。ディスプレイ１２２又は外部ディスプレイ１５２は、液晶ディスプレイ画面、コンピュータモニタ、テレビジョン等として実施し得る。ディスプレイ１２２又は外部ディスプレイ１５２は、ビデオグラフィックスアレイ（ＶＧＡ）、拡張グラフィックスアレイ（ＸＧＡ）、デジタルビジュアルインターフェース（ＤＶＩ）、高精細マルチメディアインターフェース（ＨＤＭＩ）等の対応するタイプのディスプレイのディスプレイ規格に準拠し得る。
【００３５】
図１の外科顕微鏡１２０の双眼鏡構成を用いる場合、撮像システム１４０は、撮像システム１４０が、光線及び像データを独立して処理、表示、記憶、及び他の方法で操作できるようにする左光線の部分を受け取り得る。したがって、撮像システム１４０は、所望のように、任意の様々な異なる種類の撮像システムを表し得る。
【００３６】
示されるように、ＯＣＴスキャナ１３４は、光学スキャナの実施形態を表し得る。なお、図１に示される構成と他のタイプの光学スキャナを併せて使用することもできる。ＯＣＴスキャナ１３４は、試料ビーム１３０の出力を制御し得、目１１０内の組織との相互作用する試料ビーム１３０の光子に応答して反射された測定ビーム１３２を受け取り得る。ＯＣＴスキャナ１３４はまた、試料ビーム１３０をユーザにより示される選択位置に移動させることが可能であり得る。スキャンコントローラ１５０は、ＯＣＴスキャナ１３４とインターフェースして、例えば、選択された位置を示すコマンドをＯＣＴスキャナ１３４に送信して、スキャンデータの生成及びＯＣＴスキャナ１３４からのスキャンデータの受信を行い得る。なお、ＯＣＴスキャナ１３４は、時間領域ＯＣＴ（ＴＤ−ＯＣＴ）及び周波数領域ＯＣＴ（ＦＤ−ＯＣＴ）等であるが、これらに限定されない、所望の様々なタイプのＯＣＴ器具及び構成を表し得る。特に、ＯＣＴスキャナ１３４により生成されるスキャンデータは、ラインスキャンの二次元（２Ｄ）スキャンデータ及びエリアスキャンでの三次元（３Ｄ）スキャンデータを含み得る。スキャンデータは、目１１０の眼底内の可視表面よりも下の撮像を可能にするスキャン組織の深度プロファイルを表し得る。
【００３７】
示されるように、スキャン制御装置１５４は、ユーザ入力を提供する任意の様々な装置及びシステムを表す。様々な実施形態では、スキャン制御装置１５４に関連する特定の機能は、装置インターフェース及び装置機能の実行可能コード等のスキャンコントローラ１５０内に統合し得る。さらに、幾つかの実施形態では、スキャン制御装置１５４の少なくとも一部は、外科顕微鏡１２０内に統合し得る。上述したように、スキャン制御装置１５４は、足操作装置、オーディオ装置、タッチセンシティブ装置、光学スキャン装置、又はそれらの様々な組み合わせを含み得る。足操作装置は、ユーザが足を使用してユーザ入力を提供できるようにするジョイスティック、トラックボール、又はタッチセンシティブ装置であり得る。オーディオ装置は、音声コマンドを受け取り、識別できるようにするマイクロフォンであり得る。タッチセンシティブ装置は、様々な人体部位を使用して操作し得る、タッチイベントに応答するタッチ画面を含み得る。光学スキャン装置は、ユーザの体の画像を検出し、動き又はジェスチャを入力コマンドとして解釈し得る。例えば、スキャン制御装置は、非限定的な例として、ユーザの手、足、頭、目、又はユーザにより制御される外科器具の動きの画像を捕捉し得る。スキャン制御装置１５４は、位置決めに関連し、スキャンデータを生成する選択位置を画定する特定のユーザ入力コマンドを受信できるようにされ得る。したがって、ユーザ入力コマンドは、特に、動きコマンド、サイズコマンド、回転コマンドを含み得る。ユーザ入力コマンドは、本明細書に記載されるように、スキャンデータ内にマーカーを配置し、移動させるためにも使用し得る。
【００３８】
器具１００の動作に当たり、ユーザは、硝子体網膜手術が目１１０に対して実行されている間、顕微鏡を使用して目１１０の眼底を見ることができる。ユーザは、ハンズフリー様式等でユーザ入力をスキャン制御装置１５４に提供して、ＯＣＴスキャナ１３４を操作し得る。例えば、ユーザ入力は、スキャンデータを生成する視野内の選択位置の第１の指示を含み得る。次に、スキャンコントローラ１５０は、第１の指示をスキャン制御装置１５４から受信し、コマンドをＯＣＴスキャナ１３４に送信して、目１１０の内部の選択部分に対応する選択位置のスキャンデータを生成し得る。次に、スキャンコントローラ１５０は、スキャンデータをＯＣＴスキャナ１３４から受信し、スキャンデータを示すオーバーレイ像を生成し得る。次に、スキャンコントローラ１５０は、ディスプレイ１２２から受信される外科顕微鏡１２０により捕捉された光学像にオーバーレイ像を重ね得る。スキャンコントローラ１５０は、光学像上の選択部分と位置合わせして、目１１０の選択部分を示す表示要素を更に重ね得る。ユーザは、スキャン制御装置１５４を使用して、選択部分内のマーカーの位置等の追加のユーザ入力を提供し得る。スキャン制御装置１５４からマーカーの第２の指示を受信することに応答して、スキャンコントローラ１５０は、マーカーを表示要素及びオーバーレイ像の対応する位置に重ねるか、又は追加し得る。このようにして、双眼鏡１２６でユーザが見る表示像は、光学スキャンに関する最新の更新された情報を含む。
【００３９】
本開示の範囲から逸脱せずに、変更、追加、又は省略を外科顕微鏡スキャン器具１００に対して行い得る。本明細書に記載されるように、外科顕微鏡スキャン器具１００の構成要素及び要素は、特定の用途に従って統合又は分離し得る。外科顕微鏡スキャン器具１００は、幾つかの実施形態では、より多数、より少数、又は異なる構成要素を使用して実施し得る。
【００４０】
図２は、外科顕微鏡表示像２００の実施形態を示す。表示像２００は、ユーザ操作の外科顕微鏡スキャン器具１００（図１参照）により見られる視野を表し得る。示されるように、表示像２００は、外科顕微鏡１２０により生成される光学像２０８を含む。光学像２０８は、目１１０の眼底のビューを含み得、特定の外科ツール又は器具を示し得る。図２では、外科ツール１１６は、光学像２０８内の眼底内に見られる。光学像２０８に加えて、表示像２００は、上述したように、器具１００の操作中、光学像２０８に重ねられる追加の要素を含む。特に、表示要素２０２は、スキャン制御装置１５４を使用して、光学スキャンのラインスキャンがユーザにより選ばれている場合、眼底の位置における選択部分を示す。さらに、オーバーレイ像２０６は、表示要素２０２に対応する２Ｄ深度プロファイル像の形態のスキャンデータを示す。さらに、マーカー２０４は、ユーザがスキャン制御装置１５４を使用して選択することができる特定の位置も示す。マーカー２０４は、表示要素２０２により指定されるラインスキャンに沿った位置に制限され得る。マーカー２０４−１は、表示要素２０２上のマーク位置を示し、一方、マーカー２０４−２は、オーバーレイ像２０６上の対応するマーク位置を示す。マーカー２０４は十字として示されているが、他の実施形態では、様々なサイズ及び色の様々な異なるタイプの形状、線、及び点をマーカー２０４に使用し得る。
【００４１】
説明を明確にするために、２Ｄラインスキャンが図２に示されているが、表示要素２０２が２Ｄエリアであってもよく、その間、オーバーレイ像２０６が３Ｄスキャンデータを示すことが理解される。表示像２００及び表示像２００内部の要素の更なる制御が、スキャン制御装置１５４を使用してユーザにより実行し得る。例えば、オーバーレイ像２０６の位置又はサイズを選択又は変更し得る。さらに、幾つかの実施形態では、スキャン制御装置１５４を使用して、光学スキャナを構成し、特定の光学スキャンパラメータを設定し得る。
【００４２】
これより図３を参照して、図１に関して上述したスキャンコントローラ１５０の実施形態の選択された要素を示すブロック図を提示する。図３に示される実施形態では、スキャンコントローラ１５０は、共有バス３０２を介して、メモリ３１０としてまとめて識別されるメモリ媒体に結合されるプロセッサ３０１を含む。
【００４３】
スキャンコントローラ１５０は、図３に示されるように、スキャンコントローラ１５０をＯＣＴスキャナ１３４又はスキャン制御装置１５４等の様々な外部エンティティにインターフェースすることができる通信インターフェース３２０を更に含む。幾つかの実施形態では、通信インターフェース３２０は、スキャンコントローラ１５０がネットワーク（図３に示されず）に接続できるようにするよう動作可能である。硝子体網膜手術中、スキャン像を制御するのに適する実施形態では、スキャンコントローラ１５０は、図３に示されるように、共有バス３０２又は別のバスをディスプレイ１２２又は外部ディスプレイ１５２等の１つ又は複数のディスプレイの出力ポートに接続するディスプレイインターフェース３０４を含む。
【００４４】
図３では、メモリ３１０は、永続的媒体及び揮発性媒体、固定媒体及びリムーバブル媒体、並びに磁気媒体及び半導体媒体を含む。メモリ３１０は、命令、データ、又は両方を記憶するように動作可能である。示されるようなメモリ３１０は、命令セット又は命令シーケンス、すなわち、オペレーティングシステム３１２及びスキャン像制御アプリケーション３１４を含む。オペレーティングシステム３１２は、ＵＮＩＸ又はＵＮＩＸ様オペレーティングシステム、Ｗｉｎｄｏｗｓ（登録商標）ファミリオペレーティングシステム、又は別の適するオペレーティングシステムであり得る。
【００４５】
これより図４を参照して、本明細書に記載されるような、硝子体網膜手術中、スキャン像を制御する方法４００の実施形態の選択された要素のフローチャートをフローチャート形態で示す。方法４００は、ユーザが、外科顕微鏡スキャン器具１００を操作して、目の眼底を見、眼底のビューに基付いて外科処置を実行する間に実行し得るステップ及び手順を説明する。なお、方法４００に示される特定の動作は、異なる実施形態では、任意選択的であり得、又は配置替えし得る。方法４００は、外科医又は他の医療従事者により実行し得る。幾つかの実施形態では、方法４００の少なくとも特定の部分は、例えば、外科顕微鏡の上昇又は下降等の外科顕微鏡の特定の側面に関連するサーボ−機械制御を使用して自動化し得る。
【００４６】
方法４００は、ステップ４０２において、目の内部の光学像を生成する外科顕微鏡を使用して、患者の目の内部を見ることにより開始し得る。ステップ４０４において、ユーザ入力装置を使用して、目の内部の選択部分の第１の指示を光学スキャナに結合されたスキャンコントローラに送信し得る。ステップ４０６において、光学像と、選択部分を示す表示要素と、選択部分におけるスキャンデータを示すオーバーレイ像とを含む表示像を見ることができる。ステップ４０８において、ユーザ入力装置を使用して、選択部分内に配置されるマーカーの第２の指示をスキャンコントローラに送信し得る。ステップ４１０において、マーカーが表示要素及びオーバーレイ像に追加された表示像を見ることができる。
【００４７】
図５を参照して、本明細書に記載されるような、硝子体網膜手術中、スキャン像を制御する方法５００の実施形態の選択要素のフローチャートをフローチャート形態で示す。方法５００は、ユーザが、外科顕微鏡スキャン器具１００を操作して、目の眼底を見、眼底のビューに基付いて外科処置を実行する間、スキャンコントローラ１５０が実行し得るステップ及び手順を説明する。したがって、方法５００の少なくとも特定の部分は、スキャン像制御アプリケーション３１４により実行し得る。ユーザは、外科医又は別の医療従事者であり得る。なお、方法５００に記載される特定の動作は、異なる実施形態では、任意選択的であり得、又は配置替えし得る。方法５００は、図４の方法４００と併せて実行し得る。
【００４８】
方法５００は、ステップ５０２において、第１の指示をユーザ入力装置から検索することにより開始し得る。ステップ５０４において、コマンドを光学スキャナに送信して、選択部分のスキャンデータを生成し得る。ステップ５０６において、スキャンデータを光学スキャナから受信し得る。スキャンデータに基付いて、ステップ５０８において、スキャンデータを示すオーバーレイ像を生成し得る。ステップ５１０において、選択部分を示す表示要素を生成し得る。ステップ５１２において、表示要素が光学像の選択部分と位置合わせされるように、表示要素及びオーバーレイ像を光学像と組み合わせて、表示像を生成し得る。
【００４９】
本明細書に開示されるように、硝子体網膜手術中のスキャン像の制御は、外科顕微鏡と併用される光学スキャナとインターフェースするスキャンコントローラを用いて実行し得る。スキャン制御装置は、外科顕微鏡を使用して見られる光学像データに重ねられたスキャンデータのオーバーレイ像を制御する、ハンズフリーユーザ入力を含むユーザ入力を受信し得る。光学スキャンの選択された位置も、スキャンコントローラを使用して表示し制御することができる。
【００５０】
上記開示した趣旨は、限定ではなく例示として見なされるべきであり、添付の特許請求の範囲は、本開示の真の趣旨及び範囲内にあるそのような全ての変更、改善、及び他の実施形態を包含することが意図される。したがって、法律が許す範囲で、本開示の範囲は、以下の特許請求の範囲及びそれらの均等物の許される限り最も広義の解釈により決定されるべきであり、上記の詳細な説明により制限又は限定されるものではない。
【図１】
2018532451.tif 000003
【図２】
2018532451.tif 000004
【図３】
2018532451.tif 000005
【図４】
2018532451.tif 000006
【図５】
2018532451.tif 000007
【国際調査報告】
2018532451.tif 000008
2018532451.tif 000009
2018532451.tif 000010